(57)【要約】やっかいな虫を、虫制御装置を処置される動物の体に取り付けることにより制御する。虫制御装置は、成形品、好ましくは耳のタグの形態の成形品であり、これは、クマホスおよびダイアジノンの粉末混合物、ポリ塩化ビニル並びに可塑剤から形成されている。クマホスおよびダイアジノンを、装置の適切さを損なうことなく殺虫活性を長引かせる量で、一般に使用する。【特許請求の範囲】
【請求項１】
クマホスおよびダイアジノンの混合物、ポリ塩化ビニル並びに可塑剤から形成された成形品を含み、約４ヶ月までの期間で虫制御剤を有効に放出する、動物に取り付けるための虫制御装置。
【請求項２】
クマホスおよびダイアジノンが、装置総量の約１０〜約６０質量％の量で存在する請求項１に記載の装置。
【請求項３】
クマホスおよびダイアジノンが、装置総量の約３０〜約５０質量％の量で存在する請求項２に記載の装置。
【請求項４】
成形品が、耳のタグの形態である請求項１または２に記載の装置。
【請求項５】
クマホスが、装置総量の約３〜約３０質量％の量で存在する請求項２に記載の装置。
【請求項６】
ダイアジノンが、装置総量の約１０〜約３０質量％の量で存在する請求項２に記載の装置。
【請求項７】
ポリ塩化ビニルが、装置総量の約３０〜約７０質量％の量で存在する請求項２に記載の装置。
【請求項８】
可塑剤が、装置総量の約０〜約３０質量％の量で存在する請求項７に記載の装置。
【請求項９】
可塑剤が、フタレート、セバケート、アジペート、水素化ポリフェノール、アルキル化芳香族炭化水素およびポリエステルからなる群から選ばれる請求項８に記載の装置。
【請求項１０】
成形される混合物が、約５質量％までの安定剤も含む請求項７に記載の装置。
【請求項１１】
成形される混合物が、約５質量％までの顔料またはレーキも含む請求項１０に記載の装置。
【請求項１２】
成形品が、耳のタグの形態である請求項１１に記載の装置。
【請求項１３】
クマホスが装置総量の約３〜約３０質量％の量で存在し、ダイアジノンが約１０〜約３０質量％の量で存在し、ポリ塩化ビニルが約３０〜約７０質量％の量で存在し、可塑剤が０〜約３０質量％で存在する請求項１に記載の装置。
【請求項１４】
成形品が、耳のタグの形態である請求項１３に記載の装置。
【請求項１５】
成形される混合物が、約５質量％までの安定剤も含む請求項１３に記載の装置。
【請求項１６】
成形される混合物が、約５質量％までの顔料またはレーキも含む請求項１５に記載の装置。
【請求項１７】
請求項１に記載の装置を処置される動物の耳に取り付ける工程を含んでなる、虫を制御するための家畜の処置方法。
【請求項１８】
家畜が、牛、羊、豚および馬を含む請求項１７に記載の方法。
【請求項１９】
請求項４、１２または１４のいずれかに記載の装置を処置される動物の耳に取り付ける工程を含んでなる、虫を制御するための家畜の処置方法。
【請求項２０】
家畜が、牛、羊、豚および馬を含む請求項１９に記載の方法。
【発明の詳細な説明】
【技術分野】
【０００１】
発明の分野
本発明は、動物、特に家畜のための向上した虫制御装置、その装置の製造方法、および家畜を虫から長期間保護する方法に関する。
【背景技術】
【０００２】
発明の背景
家畜は、しばしば、皮膚、目および耳の伝染病を伝染させ、生産損失につながる炎症を引き起こす様々な種類の虫、例えばハエおよびシラミにより悩まされる。虫のこの問題を緩和するいくつかのアプローチがとられている。１つのアプローチは、家畜に殺虫剤スプレーを適用することを必要とする。このアプローチは、家畜を集めて処置するために、かなりの量の時間および労働を必要とするので望ましくない。さらにこのアプローチは、ほんの短い期間でしか有効ではなく、頻繁な適用が必要である。それゆえ、より経済的であり、労働集約的ではないアプローチが一般に好ましい。
【０００３】
他のアプローチは、殺虫剤を施与する装置を対象となる家畜に接触させることによる殺虫剤の適用である。ディスペンサー、例えば集塵袋または油さしが、家畜がそれらと接触すると予想される領域に配置される。このアプローチは、家畜を処置するのに含まれる労働量を減少させるが、それぞれの動物が、定期的な間隔で必要な処置を受けることを保証しない。
【０００４】
さらに別のアプローチは、殺虫剤を長期間放出する樹脂状物質と混合した緩効性農薬を使用する。これらの農薬含有樹脂は、動物の体の様々な部分に取り付けられる首輪からタグにわたる様々な形態で使用されている。農薬を含有する耳タグの使用は、そのような耳タグに関する特許の数から明らかなように、家畜を処置するために特に興味深い。
【０００５】
例えば 米国特許第4,366,777号および同第4,562,794号は、液状殺虫剤ディスペンサーを使用する耳タグを開示している。米国特許第4,366,777号における液状殺虫剤は、タグの表面上に保持される繊維または泡リザーバ中に封入される。米国特許第4,562,794号において、殺虫剤を含有するディスペンサーまたはリザーバは、動物の識別タグに取り付けられる。殺虫剤の放出は、半透性膜を通る殺虫剤の移動および拡散に依存する。
【０００６】
米国特許第4,428,327号は、通常の耳タグに取り付けられる殺虫剤含浸テープを開示している。これらのタグのそれぞれは、殺虫剤含有リザーバまたはテープが、フェンスまたはブラシによりはずれ得るので、不都合であることが分かっている。それゆえ殺虫剤を直接に組込んでいるタグを入手することは有利であろう。
そのようなアプローチは、米国特許第4,721,064号、同第4,195,075号および同4,265,846号、並びに Miller ら ("Release of Pyrethroids from Insecticidal Ear Tags, "J. Econ. Entomol. 76: 1335-1340, 1983年)および  Miller ら ("Release Rates from Cattle Insecticidal Ear Tags in Various Regions of the United States," The Southwestern Entomologist, 第11(1)巻, 第45-50頁, 1986年3月)に開示されている。しかしながら Miller らの開示および米国特許第4,195,075号は、周囲温度で蒸発し得る液状殺虫剤に限定される。そのような液状殺虫剤の使用は、周囲温度が殺虫剤の急速な蒸発を引き起こすのに充分に高く、そうして短時間で望ましくない多量の殺虫剤放出を生ずる地域では、望ましくない場合がある。
【０００７】
とりわけ米国特許第4,265,876号はピレスロイド殺虫剤含有タグに限定されるのに対し、クマホスはピレスロイドではない。米国特許第5,018,481号は、対象動物の体に取り付けられる虫制御装置を開示し、それは、クマホス、ポリ塩化ビニルおよび可塑剤の粉末混合物から形成されている。クマホスは、装置の５〜３０％の量で使用される。
該装置を特に牛に対する有効な虫制御について約４ヶ月以上という長期で使用するために、高濃度の殺虫剤をキャリヤに組込ませなければならない。多すぎる殺虫剤をプラスチック製成形キャリヤ中で、例えば耳タグ形態のキャリヤ中で使用する場合、それらは不適切に軟化する。本発明により、長期で有効な殺虫活性を提供するために適切な装置が提供される。
【発明の開示】
【０００８】
発明の概要
上記のように本発明は、約４ヶ月以上という期間で有効に虫制御剤を放出する家畜用の虫制御装置を包含する。即ち、効能のある虫制御を提供するために充分な量の虫制御剤が放出される。その好ましい実施態様において装置は、活性成分、クマホスおよびダイアジノンの有効な組合せ、ポリ塩化ビニル並びに可塑剤の混合物から形成される成形品を含む耳タグの形態である。有効な組合せとは、クマホスおよびダイアジノンが殺虫活性を提供するために充分な量で使用されることを意味する。確かにクマホスおよびダイアジノンは殺虫剤として知られているが、本発明に従い固形のクマホスと液状のダイアジノンとの組合せを含有する装置による長期処置という結果が得られることは驚くべきことである。装置総量を基準に約１０〜約６０質量％の量、好ましくは約２５〜約４０質量％の活性成分を使用し得る。この量のうち、約１０〜約３０質量％、好ましくは約２０〜約２５質量％がクマホスであり得、約１０〜約３０質量％、好ましくは約２０〜約２５質量％がダイアジノンであり得る。
【０００９】
使用環境におけるその取扱いまたは性能において不適切にさせられずに活性成分を高装填量で保持し得るあらゆる混和性物質中に、活性成分を組込むことができる。その上、該物質は活性成分を放出可能なように含有するようなものであるべきである。成句「放出可能なように含有する」とは、活性成分が、混和性物質中にあっても、それと出会う虫と接触する性質があることを意味する。
１つの実施態様において本発明は、約４ヶ月以上で有効である高濃度の殺虫剤を有する適切な耳タグを包含する。用語「適切」とは、装置物質が、使用環境における取扱いまたは性能に関して無欠さを保持することを意味する。例えば、プラスチック製成形耳タグは、粘着性にならず、殺虫剤を長期間放出し続ける。
【発明を実施するための形態】
【００１０】
発明の詳細な説明
上記のように本発明の虫制御装置は、有効な組合せのクマホスおよびダイアジノン、ポリ塩化ビニル並びに可塑剤の混合物から形成される。クマホスは、固形の有機リン系殺虫剤であり、これは、節足動物、例えばハエ、地虫、シラミおよびダニ(ticks and mites)に対して有効である。本発明の装置中においてクマホスは、一般に装置総量の約３〜約３０質量％の量、好ましくは約１０〜約２５質量％の量、最も好ましくは約１０〜約１５質量％の量で存在する。ダイアジノンは、液状の有機リン系殺虫剤であり、これも、節足動物、例えばハエ、地虫、シラミおよびダニに対して有効である。本発明の装置中においてダイアジノンは、装置総量１０〜２０ｇを基準に約１０〜約３０質量％、好ましくは約２０〜約２５質量％の量で存在する。
【００１１】
当然、他の既知の殺虫剤を、本発明の虫制御装置が形成される混合物中に含めることができる。他の既知の殺虫剤は、殺虫活性または装置適性を損なわないようなものであるべきである。
ポリ塩化ビニルは、本発明の装置中に、一般に装置総量の約３０〜約７０質量％の量、好ましくは約４０〜約６０質量％の量、最も好ましくは約４５〜約５５質量％で存在する。
【００１２】
本発明の虫制御装置を製造する際に使用される可塑剤は、あらゆる既知の可塑剤であり得る。適切な可塑剤の具体例は、フタレート、例えばジオクチルフタレート、ジフェニルジメチルフタレートおよびジヘキシルフタレート、セバケート、例えばジフェニルセバケート、ｎ-ブチルベンジルセバケートおよびジベンジルセバケート、アジペート、例えばジオクチルアジペート、ジカプリルアジペート、ジイソブチルアジペートおよびジノニルアジペート、水素化ポリフェノール、アルキル化芳香族炭化水素およびポリエステル系可塑剤、例えばポリオールおよびポリカルボン酸の少なくとも２０００の分子量を有するポリエステルを含む。可塑剤は、虫制御装置の総量の０〜約３０質量％、好ましくは約５〜約２５質量％、最も好ましくは約１０〜約２５質量％の量で存在する。
【００１３】
他の物質、例えば染料、顔料、滑剤、レーキ、フィラー、酸化防止剤および紫外線安定剤を、所望により本発明の虫制御装置が形成される混合物中に含めることができる。これらの物質が含まれる場合、それらは、一般に約１〜約１０質量％の量、好ましくは約２〜約４質量％の量で存在する。
【００１４】
装置の製造方法において固形クマホスおよび液状ダイアジノンは、以下のように組込まれる。ポリ塩化ビニルおよび可塑剤は一緒に混合され、約１８０°Ｆの温度に加熱される。次いでダイアジノンが添加され、混合物が３時間ブレンドされる。次いで混合物は６８から８０°Ｆ（理想７２°Ｆ）に放冷される。次いでクマホスおよび他の成分が添加され、２時間ブレンドされる。クマホス、ダイアジノン、ポリ塩化ビニル、可塑剤および任意成分を含有する混合物は、好ましくは射出成形により、所望の形態に成形される固体の混合物である。好ましい形態は、家畜の耳に直接取り付けることができる耳タグである。そのような混合物を成形する技術は、当業者に知られている。１つのそのような成形法は、米国特許第4,195,075号に開示されている。成形した虫制御装置を、動物、例えば家畜に取り付ける技術も、該技術分野において周知である。ここで使用されるような用語「家畜」とは、牛、羊、豚、馬および他の動物を含むことを意図する。
【実施例】
【００１５】
実施例
本発明を、さらに以下の実施例で説明するが、この実施例は、いかなる方法でも限定として解釈されるべきではない。
実施例１
ポリ塩化ビニル３７１２ｇおよびアセチルトリブチルシトレート１１９ｇを組み合わせ、１８０°Ｆに加熱した。工業用ダイアジノン（１９０７ｇ）を混合物に添加し、３時間ブレンドした。混合物を８時間放冷させた。工業用クマホス１９０６ｇおよび二酸化チタン９５ｇを添加し、２時間混合した。耳タグを、混合物を射出成形手順により２５０°Ｆで通すことにより製造し、可塑剤１８.７％、クマホス２０％およびダイアジノン２０％を含有する質量１４〜１５ｇの個々の耳タグを製造した。
【００１６】
実施例２
ポリ塩化ビニル４２３４ｇおよびアセチルトリブチルシトレート１３８９ｇを組み合わせ、１８０°Ｆに加熱した。工業用ダイアジノン（１９０６ｇ）を混合物に添加し、３時間ブレンドした。混合物を８時間放冷させた。工業用クマホス１９０６ｇおよび二酸化チタン９５ｇを混合物に添加し、２時間ブレンドした。耳タグを、混合物を射出成形手順により２５０°Ｆで通すことにより製造し、可塑剤１３.６％、クマホス２０％およびダイアジノン２０％を含有する質量１４〜１５ｇの個々のタグを製造した。
【００１７】
実施例３
ポリ塩化ビニル４６６７ｇおよびアセチルトリブチルシトレート９５６ｇを組み合わせ、１８０°Ｆに加熱した。工業用ダイアジノン（１９０６ｇ）を混合物に添加し、３時間ブレンドした。混合物を８時間放冷させた。クマホス１９０６ｇおよび二酸化チタン９５ｇを添加し、２時間ブレンドした。耳タグを、混合物を射出成形手順により２５０°Ｆで通すことにより製造し、可塑剤９.４％、クマホス２０％およびダイアジノン２０％を含有する質量１４〜１５ｇの個々のタグを製造した。
【００１８】
実施例４
ポリ塩化ビニル４８７８ｇおよびエポキシ化大豆油３１８ｇを組み合わせ、約１８０°Ｆでブレンドした。工業用ダイアジノン２７３８ｇを添加し、３時間ブレンドした。混合物を７２°Ｆに冷却した。クマホス１５００ｇおよび二酸化チタン９５ｇを添加し、２時間ブレンドした。耳タグを、混合物を射出成形手順により２５０°Ｆで通すことにより製造し、クマホス１５％およびダイアジノン２５％を含有する質量１４〜１５ｇの個々のタグを製造した。
【００１９】
実施例５
牛用耳タグからのクマホス＋ダイアジノンの減損速度の測定
実施例１〜３で製造した耳タグを、２０週間の期間、牛の耳に取り付けた。タグを予定の間隔で動物から取り外し、秤量し、活性成分の量および成形タグからのその放出速度を定めるために分析した。その結果を、以下の表１に示す。
【表１】
2005501539.tif 000002
この研究結果は、クマホスおよびダイアジノンは、牛に適用した後に少なくとも２０週間は成形耳タグから共に放出されることを示す。最大の放出速度は、適用後の初めの８週間で観察された。
【００２０】
実施例６
牛に対してハエを制御するためのクマホス＋ダイアジノン耳タグの有効性の測定
実施例１〜３で製造した耳タグを、ケンタッキー、ネブラスカおよびミズーリ州にいる群れの中の牛の耳に取り付けた（タグ１または２個／動物）。ツノサシバエ (ホーンフライ horn fly)(Haematobia irritans）および／または家畜の顔面にたかるイエバエ属（フェースフライ face flies)(Musca autumnalis) の動物１頭あたりの平均数を、耳タグの適用前に測定した。牛を、１週間の間隔でタグを適用した後に１７週まで観察し、ハエの計数を行った。効力（％）は、耳タグ処置の群れにについて動物１頭あたりのホーンフライ（またはフェースフライ）の平均数と、隣接する未処置牛のハエの平均数とを比較することにより、次式で計算した：
【数１】
2005501539.tif 000003
その結果を、以下の表２〜４に示す。
【００２１】
【表２】
2005501539.tif 000004
【００２２】
【表３】
2005501539.tif 000005
【００２３】
【表４】
2005501539.tif 000006
【００２４】
これらの研究結果は、クマホスおよびダイアジノンが、実施例１〜３に記載した耳タグ装置から少なくとも１７週間、牛に対するホーンフライおよびフェースフライの効能のある制御を提供するために充分な量で放出されることを示す。
本発明を、説明の目的のために上で詳細に記載したが、そのような詳細は単に説明の目的のためだけであり、特許請求の範囲により制限され得る場合を除いて当業者は、本発明の意図および範囲からはずれることなく変法をなし得ることは理解されるべきである。
【国際公開パンフレット】
2005501539.tif 000007
2005501539.tif 000008
2005501539.tif 000009
2005501539.tif 000010
2005501539.tif 000011
2005501539.tif 000012
2005501539.tif 000013
2005501539.tif 000014
2005501539.tif 000015
2005501539.tif 000016
2005501539.tif 000017
2005501539.tif 000018
2005501539.tif 000019
【国際調査報告】
2005501539.tif 000020
2005501539.tif 000021
2005501539.tif 000022
2005501539.tif 000023